(57)【要約】【課題】電池の劣化を容易に判定する電池劣化判定装置を提供する。【解決手段】充電部１が、定電流−定電圧方式で、電池に供給する電流値が一定の値以下になるまで、電池に電力を供給して充電する。放電部４が、充電終了した電池を一定電流で所定の時間放電させる。電圧測定部３が、放電後の電池の電圧を測定する。判定部５が、電圧測定部３によって測定された電池の電圧にもとづき、電圧測定部３によって測定された電池の電圧が所定の値未満である場合に、電池が劣化したと判定する。【選択図】図１
2009210494.tif 000002
【特許請求の範囲】
【請求項１】
電池に電力を供給して充電する充電手段と、
前記充電手段によって充電が終了した電池を放電させる放電手段と、
前記放電手段によって放電された電池の電圧値を測定する電圧測定手段と、
前記電圧測定手段が測定した電圧値にもとづいて、電池が劣化したか否かを判定する判定手段とを備えた
ことを特徴とする電池劣化判定装置。
【請求項２】
放電手段は、電池を所定の電流値で所定の時間放電させる
請求項１記載の電池劣化判定装置。
【請求項３】
判定手段は、電圧測定手段によって測定された電圧値が所定の値未満である場合に、電池が劣化したと判定する
請求項１または請求項２記載の電池劣化判定装置。
【請求項４】
判定手段は、電圧測定手段によって測定された電圧値と、予め決められた値とを比較して、電池が劣化した度合いを判定する
請求項１または請求項２記載の電池劣化判定装置。
【請求項５】
充電手段は、電池に供給する電流値が一定の値以下になるまで前記電池に電力を供給する
請求項１から請求項４のうちいずれか１項記載の電池劣化判定装置。
【請求項６】
電池に電力を供給して充電する充電ステップと、
前記充電ステップで充電が終了した電池を放電させる放電ステップと、
前記放電ステップで放電された電池の電圧値を測定する電圧測定ステップと、
前記電圧測定ステップで測定された電圧値にもとづいて、電池が劣化したか否かを判定する判定ステップとを備えた
ことを特徴とする電池劣化判定方法。
【請求項７】
放電ステップで、電池を所定の電流値で所定の時間放電させる
請求項６記載の電池劣化判定方法。
【請求項８】
判定ステップで、電圧測定ステップにおいて測定された電圧値が所定の値未満である場合に、電池が劣化したと判定する
請求項６または請求項７記載の電池劣化判定方法。
【請求項９】
判定ステップで、電圧測定ステップにおいて測定された電圧値と、予め決められた値とを比較して、電池が劣化した度合いを判定する
請求項６または請求項７記載の電池劣化判定方法。
【請求項１０】
充電ステップで、電池に供給する電流値が一定の値以下になるまで前記電池に電力を供給する
請求項６から請求項９のうちいずれか１項記載の電池劣化判定方法。
【発明の詳細な説明】
【技術分野】
【０００１】
本発明は、二次電池の劣化を判定する電池劣化判定装置、および電池劣化判定方法に関する。
【背景技術】
【０００２】
近年、リチウムイオン二次電池が携帯電話機等の携帯機器に使用されている。一般に、リチウムイオン二次電池は、定電流−定電圧充電方式で充電される。また、リチウムイオン二次電池は、充電および放電を繰り返すことにより、徐々に電池容量が劣化（減少）する。
【０００３】
定電流−定電圧充電方式とは、リチウムイオン二次電池の電圧が所定の電圧に達するまで定電流充電を行い、所定の電圧に達したら充電電流が所定の電流以下に減少するまで定電圧充電を行う方式である。
【０００４】
特許文献１および特許文献２には、バッテリを放電させて、放電電圧および放電電流にもとづいてバッテリの寿命（バッテリが劣化したか否か）を判定する方法が記載されている。
【０００５】
【特許文献１】特開２０００−２９５７７８号公報（段落００２０〜００９２、図１）
【特許文献２】特開平１１−１４７１９号公報（段落００１６〜００４７、図２）
【発明の開示】
【発明が解決しようとする課題】
【０００６】
特許文献１に記載されている方法および特許文献２に記載されている方法では、放電電流の値が変化した場合に（一定の値でない場合に）、バッテリが劣化したか否かを判定することが困難であるという問題がある。
【０００７】
そこで、本発明は、二次電池の劣化判定を容易に行うことができる容量劣化判定方法を提供することを目的とする。
【課題を解決するための手段】
【０００８】
本発明による電池劣化判定装置は、電池に電力を供給して充電する充電手段と、充電手段によって充電が終了した電池を放電させる放電手段と、放電手段によって放電された電池の電圧値を測定する電圧測定手段と、電圧測定手段が測定した電圧値にもとづいて、電池が劣化したか否かを判定する判定手段とを備えたことを特徴とする。
【０００９】
本発明による電池劣化判定方法は、電池に電力を供給して充電する充電ステップと、充電ステップで充電が終了した電池を放電させる放電ステップと、放電ステップで放電された電池の電圧値を測定する電圧測定ステップと、電圧測定ステップで測定された電圧値にもとづいて、電池が劣化したか否かを判定する判定ステップとを備えたことを特徴とする。
【発明の効果】
【００１０】
本発明によれば、電池が劣化したか否かを容易に判定することができる。また、充電後に当該判定を行うので、電池の充電残存容量に依存することなく、より高い精度で電池が劣化したか否かを判定することができる。
【発明を実施するための最良の形態】
【００１１】
図１は、本発明の実施形態の電池劣化判定装置１０の構成例を示すブロック図である。図１に示すように、本発明の実施形態の電池劣化判定装置１０は、充電部（充電手段）１、電流測定部（電流測定手段）２、電圧測定部（電圧測定手段）３、放電部（放電手段）４、判定部（判定手段）５、および制御部６を含む。なお、本実施形態の電池劣化判定装置１０は、例えば、携帯電話機等の携帯機器に搭載される。
【００１２】
充電部１は、電池（本実施形態ではリチウムイオン二次電池）に電力を供給して、当該電池を充電する。電流測定部２は、充電部１から電池に出力される電流の値を測定する。なお、電流測定部２が測定した電流の値を電流値という。また、電流測定部２は、放電部４によって放電されるときに電池から出力される電流の値を測定してもよい。電圧測定部３は、電池の電圧の値（電圧値）を測定する。放電部４は、電池を所定の定電流で放電させる。判定部５は、放電部４によって放電された後に、電圧測定部３によって測定された電池の電圧の値にもとづいて、当該電池が劣化しているか否か（具体的には、例えば、電池の容量が劣化（減少）しているか否か）判定する。制御部６は、各部を制御する。
【００１３】
次に、本発明の実施形態の電池劣化判定装置１０の動作について、図面を参照して説明する。図２は、本発明の実施形態の電池劣化判定装置１０の動作を示すフローチャートである。図３は、本発明の実施形態の電池劣化判定装置１０によって充電される電池の電池の電流値および電圧値を示す説明図である。
【００１４】
なお、図３に示す例では、電流測定部２が測定した電流値が実線で表され、電圧測定部３が測定した電圧値が点線で表されている。
【００１５】
充電部１は、電圧測定部３が測定した電圧値が所定の値（Ｖ１）に達するまで、所定の電流値（Ｉ１）で、電池に電力を供給し、充電する。そして、電圧測定部３が測定した電圧値が所定の値（Ｖ１）に達すると、所定の電圧値（Ｖ１）で電池に電力を供給し、充電する（ステップＳ１０１）。その後、制御部６は、電流測定部２が測定した電流値が一定の値（Ｉ２）以下になった場合に（ステップＳ１０２のＹ）、充電が完了したと判断し、充電部１に充電を終了させる（ステップＳ１０３）。
【００１６】
そして、放電部４は、電池を所定の定電流（Ｉ３）で放電させる（ステップＳ１０４）。放電部４は、放電開始から所定時間（例えば、５秒）経過後に放電を終了させる。電圧測定部３は、放電終了後の電池の電圧値（Ｖ２）を測定する（ステップＳ１０５）。
【００１７】
判定部５は、電圧測定部３が測定した放電終了後の電池の電圧値にもとづいて、電池が劣化したか否かを判定する（ステップＳ１０６）。具体的には、例えば、電圧測定部３が測定した放電終了後の電池の電圧値が所定の値未満である場合に、電池が劣化したと判定する。
【００１８】
なお、判定部５は、電圧測定部３が測定した放電終了後の電池の電圧値と、予め設定された複数の値とを比較して、電池の劣化度合いを判定してもよい。具体的には、例えば、電圧測定部３が測定した放電終了後の電池の電圧値（Ｖ２）が、Ｖ５以上であれば、劣化度を０と判定し、Ｖ５未満であってＶ４以上であれば劣化度を３０と判定し、Ｖ４未満であってＶ３以上であれば劣化度を７０と判定し、Ｖ３未満であれば劣化度を９０と判定する（Ｖ５，Ｖ４，Ｖ３はそれぞれ予め決められた値）。
【００１９】
制御部６は、判定部５による判定結果を使用者に認識させ、電池の交換を促したりするために、判定部５の判定結果に応じた画面を表示手段（図示せず）に表示させたり、判定部５の判定結果に応じた音声をスピーカ（図示せず）に出力させたりしてもよいし、判定部５の判定結果に応じてＬＥＤ（Ｌｉｇｈｔ  Ｅｍｉｔｔｉｎｇ  Ｄｉｏｄｅ）等の発光手段（図示せず）を点灯や点滅させたり、発光する色を変化させたりしてもよい。
【００２０】
本実施形態によれば、放電部４を用いて定電流で所定の時間電池を放電させた後に、判定部５を用いて電池が劣化しているか否かの判定を行うので、完全に放電された電池に定電流−定電圧充電を行い、その後、定電流で完全に放電させて電池が劣化しているか否かを判定する方法に比べて、電池が劣化したか否かを容易に判定することができる。また、充電部１による充電後に判定部５が当該判定を行うので、電池の充電残存容量に依存することなく、より高い精度で電池が劣化したか否かを判定することができる。
【００２１】
図４に、上述した実施形態の最小構成による電池劣化判定装置２０のブロック図を示す。図４に示すように、電池劣化判定装置２０は、充電部（充電手段）１、電圧測定部（電圧測定手段）３、放電部（放電手段）４および判定部（判定手段）５を含む。
【００２２】
充電部１は、電池（例えば、リチウムイオン二次電池）に電力を供給して、当該電池を充電する。電圧測定部３は、電池の電圧の値（電圧値）を測定する。放電部４は、電池を所定の定電流で放電させる。判定部５は、放電部４によって放電された後に、電圧測定部３によって測定された電池の電圧にもとづいて、当該電池が劣化しているか否か（具体的には、例えば、電池の容量が劣化（減少）しているか否か）判定する。
【００２３】
図４に示す構成の電池劣化判定装置２０も、放電部４を用いて定電流で電池を放電させるので、電池が劣化したか否かを容易に判定することができる。また、充電部１による充電後に判定部５が当該判定を行うので、電池の充電残存容量に依存することなく、より高い精度で電池が劣化したか否かを判定することができる。
【産業上の利用可能性】
【００２４】
本発明は、二次電池の劣化を判定する装置に利用することができる。
【図面の簡単な説明】
【００２５】
【図１】電池劣化判定装置の構成例を示すブロック図である。
【図２】電池劣化判定装置の動作を示すフローチャートである。
【図３】電池劣化判定装置によって充電される電池の電池の電流値および電圧値を示す説明図である。
【図４】最小構成による電池劣化判定装置のブロック図を示す。
【符号の説明】
【００２６】
１  充電部
２  電流測定部
３  電圧測定部
４  放電部
５  判定部
６  制御部
１０、２０  電池劣化判定装置
【図１】
2009210494.tif 000003
【図２】
2009210494.tif 000004
【図３】
2009210494.tif 000005
【図４】
2009210494.tif 000006